(57)【要約】      （修正有）【課題】耐久性があり、繰り返し荷重がかかったり折り曲げられたりする部分の損傷を抑えたランドセルを提供する。【解決手段】物品を収容する収容部１２と、収容部１２を背負う肩ベルト１４と、肩ベルト１４に連結されバックル１５を備えた下部ベルト１７を備える。肩ベルト１４は、バックル１５が通されるサイズ調整用孔１８を有する。収容部１２の開口部を覆う蓋部材３０と、蓋部材３０の先端を収容部１２に着脱自在に係止する係止具と、係止具が設けられた舌状の保持片を備える。肩ベルト１４と保持片の少なくとも一方の繰り返し荷重がかかる部分には、適度な柔軟性を有する芯材であるスポンジを有する。スポンジに重ねられ柔軟なシート状の化繊生地２２と、スポンジと化繊生地２２を覆う裏生地を備える。【選択図】図１
0003140219.tif 000002
【実用新案登録請求の範囲】
【請求項１】
物品を収容する収容部と、前記収容部を背負う肩ベルトと、前記肩ベルトに連結されバックルを備えて前記収容部に連結された下部ベルトと、前記バックルが通されるサイズ調整用孔と、前記収容部の開口部を覆う蓋部材と、前記蓋部材の先端を前記収容部に着脱自在に係止する係止具が設けられる舌状の保持片が設けられ、前記肩ベルトと前記保持片の少なくとも一方の繰り返し荷重がかかる部分には、適度な柔軟性を有する芯材と、前記芯材に重ねられ柔軟なシート状の補強材と、前記芯材と前記補強材を覆う生地が設けられたことを特徴とするランドセル。
【請求項２】
前記補強材は、前記肩ベルトの前記サイズ調整用孔の周縁部に設けたことを特徴とする請求項1記載のランドセル。
【請求項３】
前記保持片に前記補強材を設けたことを特徴とする請求項２記載のランドセル。
【請求項４】
前記収容部は、上部に紐状の持ち手を有し、前記持ち手に前記補強材を設けたことを特徴とする請求項３記載のランドセル。
【考案の詳細な説明】
【技術分野】
【０００１】
この考案は、教科書等を入れる収容部と、収容部を背負う肩ベルトが設けられているランドセルに関する。
【背景技術】
【０００２】
従来、ランドセルの肩ベルトは、ムレを防いだり、強度を高めたりするいろいろな工夫がされている。特許文献１に開示されているランドセル等の背負バンドは、筒状に構成され潰して帯状とした布製のチューブラー基材と、前記チューブラー基材のおもて面に熱圧着されたおもて側樹脂層と、前記チューブラー基材のうら面に熱圧着されたうら側樹脂層と、おもて側樹脂層とうら側樹脂層の両測縁をチューブラー基材の両測縁の外に熱圧着して形成した縁部と、前記チューブラー基材内に填入したクッションが設けられている。この背負バンドによれば、平紐を芯とするとする公知技術の合成樹脂バンドに比較して強度が高く、またチューブラー基材内にクッションを填入して全体の丸みや厚さを自由に調節することができる。
【０００３】
また、特許文献２に開示されているランドセルの肩ベルト用環状帯体は、内側に肩ベルトを挿通させる態様で肩ベルトに着脱自在とした環状帯体であり、伸縮性を有する表側生地と、身体に接触する側に位置する通気性を有するクッション材により構成されている。このランドセルの肩ベルト用環状帯体によれば、使用中のムレを解消することができる。
【特許文献１】実開平４−６６９２３号公報
【特許文献２】特開２００２−２８２０３０号公報
【考案の開示】
【考案が解決しようとする課題】
【０００４】
上記背景技術の場合、肩ベルトの下端部に近い部分には、サイズ調整用の孔が長手方向に沿って等間隔に設けられているが、孔を形成することで強度が弱くなり、またこの部分に荷重が繰り返しかかるため、肩ベルトが孔部分で破断されることがあった。また、収容部を閉じる蓋部材は、先端に舌状の保持片が設けられ、保持片にマグネット係止具が設けられているが、保持片は蓋部材を開閉するごとに折り曲げられて繰り返し荷重が掛かり、疲労による破断することがあった。さらに、収容部に、紐状の持ち手が設けられているものがあるが、この持ち手も荷重が繰り返しかかるため疲労により破断することがあった。
【０００５】
各部の強度は、生地の強度に依存するため、引っ張り強度の高い生地を使用しなければならず、高価になることがある。また、風合いが良好な生地でも引っ張り強度が低いものは使用することができなかった。
【０００６】
この考案は、上記背景技術の問題点に鑑みてなされたもので、耐久性があり、繰り返し荷重がかかったり折り曲げられたりする部分の損傷を抑えたランドセルを提供することを目的とする。
【課題を解決するための手段】
【０００７】
本考案は、物品を収容する収容部と、前記収容部を背負う肩ベルトと、前記肩ベルトに連結されバックルを備えて前記収容部に連結された下部ベルトと、前記バックルが通されるサイズ調整用孔と、前記収容部の開口部を覆う蓋部材と、前記蓋部材の先端を前記収容部に着脱自在に係止する係止具が設けられる舌状の保持片が設けられ、前記肩ベルトと前記保持片の少なくとも一方の繰り返し荷重がかかる部分には、適度な柔軟性を有する芯材と、前記芯材に重ねられ柔軟なシート状の補強材と、前記芯材と前記補強材を覆う生地が設けられたランドセルである。
【０００８】
前記補強材は、前記肩ベルトの前記サイズ調整用孔の周縁部に設けたものである。さらに、前記保持片に前記補強材を設けたものである。前記収容部は、上部に紐状の持ち手を有し、前記持ち手に前記補強材を設けたものでも良い。
【考案の効果】
【０００９】
本考案のランドセルは、簡単な構造で耐久性があり、繰り返し荷重がかかったり、繰り返し折り曲げられたりする部分の損傷を防ぎ、長期間に渡って安全に使用することができる。さらに、肩ベルト等柔軟な芯材を用いている部分にも、柔軟なシート状の補強材で補強することにより芯材の柔軟性を残して引っ張り強度を向上させることができる。
【考案を実施するための最良の形態】
【００１０】
以下、この考案の実施形態について図面に基づいて説明する。図１〜図８はこの考案の一実施形態を示すもので、この実施形態のランドセル１０は、物品を収容する収容部１２が設けられている。収容部１２は、上方に開口部１２ａが設けられた箱形であり、収容部１２の背面１２ｂの上部には、一対の肩ベルト１４が設けられている。
【００１１】
図２は、肩ベルト１４を身体に接する裏面からみたもので、肩ベルト１４は身体に沿う形状に彎曲された帯体であり、肩ベルト１４の上端部１４ａは、折り返されてリベット１６で押えられている。肩ベルト１４の中間よりも下端部１４ｂに近い部分には、肩ベルト１４を貫通するサイズ調整用孔１８が設けられている。サイズ調整用孔１８は、肩ベルト１４の長手方向に沿って等間隔に設けられ、ここでは６個設けられている。さらに収容部１２には、肩ベルト１４に対向するように、収容部１２の底面から延びて、先端にバックル１５を有する下部ベルト１７が設けられている。
【００１２】
図３は、肩ベルト１４の、図２のＡ−Ａ線で破断した部分の内側を示したもので、肩ベルト１４の内側には芯材であるスポンジ２０が設けられ、スポンジ２０は適度な弾力性を有する素材で作られている。スポンジ２０の、身体と反対側となる表面２０ａには、シート状の補強材である化繊生地２２が重ねられて設けられている。化繊生地２２は、例えばナイロン製であり、織物や不織布でもよい。例えば商品名はクラリーノ（クラレ製）である。化繊生地２２のさらに表面には、表生地２４が重ねられて設けられ、表生地２４は例えば収容部１２と同じ素材で作られ、合成樹脂または天然の皮革で作られている。スポンジ２０の、身体側となる裏面２０ｂには、裏生地２６が重ねられて設けられている。裏生地２６は、例えば収容部１２や表生地２４と同じ素材で作られている。裏生地２６は、スポンジ２０よりも一回り大きくカットされ、裏生地２６の周縁部はスポンジ２０の端部を包むように折り込まれ、化繊生地２２と表生地２４の間に挟持され固定されている。そして、スポンジ２０の周縁部には糸２８がステッチされ、糸２８により、表生地２４、化繊生地２２、スポンジ２０、裏生地２６が貫通して縫いとめられている。なお、スポンジ２０、化繊生地２２、表生地２４、裏生地２６の各接触面は、互いに接着剤で接着されてもよい。
【００１３】
なお、スポンジ２０は肩ベルト１４の形状に設けられ、上端部１４ａの折り返される部分には設けられていない。化繊生地２２は、肩ベルト１４の長手方向の中間付近から下端部１４ｂにかけてのみ設けられ、サイズ調整用孔１８の周囲に設けられている。裏生地２６は、肩ベルト１４の長手方向の中間付近から上端部１４ａにかけて、裏生地２６よりも柔軟でクッション性を有する素材の切替用裏生地２７で作られてもよい。切替用裏生地２７は、例えば合成樹脂または天然の皮革で作られ、色は裏生地２６よりも薄い色で着色されてもよい。
【００１４】
この実施形態のランドセル１０の収容部１２には、開口部１２ａを覆う蓋部材３０が設けられ、蓋部材３０の先端には舌状の保持片３２が設けられている。図４は、保持片３２を表面から見たものであり、保持片３２は、蓋部材３０の先端に連続する直線の側縁部３２ａを有し、側縁部３２ａを底辺とする三角形状に設けられ、頂点に位置する先端部３２ｂには、収容部１２の底部の外側面に着脱自在に係止するマグネット係止具３４と、マグネット係止具３４を外すときに使用するフラップ３６が設けられている。
【００１５】
図５は、保持片３２の、図４のＢ−Ｂ線で破断した部分の内側を示したものである。保持片３２の内側には芯材である厚紙３８が設けられている。厚紙３８は、例えば商品名ウェブロン（武田産業製）である。厚紙３８の、収容部１２と反対側となる表面３８ａには、表生地４０が重ねて設けられ、表生地４０は例えば収容部１２と同じ素材で作られている。厚紙３８の、収容部１２側となる裏面３８ｂには、シート状の補強材である化繊生地４２が重ねられて設けられている。化繊生地４２のさらに裏面には、裏生地４４が重ねられて設けられ、裏生地４４は例えば収容部１２と同じ素材で作られている。なお、表生地４０は厚紙３８よりも一回り大きくカットされ、表生地４０の周縁部は厚紙３８の端部を包むように折り込まれ、化繊生地４２と裏生地４４の間に挟持され固定されている。そして、厚紙３８の周縁部には糸４６がステッチされ、糸４６により、表生地４０、厚紙３８、化繊生地４２、裏生地４４が貫通して縫いとめられている。
【００１６】
なお、保持片３２の形状は自由に変更可能である。例えば、図６に示すようにＹ字形の保持片４８でもよい。図６は、保持片４８を表面から見たものであり、保持片４８は、Ｙ字形の上方の一対の突起部４８ａが蓋部材３０の先端に連続して取り付けられ、Ｙ字形の下方の先端部４８ｂに、マグネット係止具３４とフラップ３６が設けられている。
【００１７】
図７は、保持片４８の、図６のＣ−Ｃ線で破断した部分の内側を示したものである。保持片４８の内側には芯材である厚紙５０が設けられている。厚紙５０の、収容部１２と反対側となる表面５０ａには、シート状の補強材である化繊生地５２が重ねられて設けられている。化繊生地５２のさらに表面には、弾力性を有するスポンジ５４が重ねて設けられ、スポンジ５４のさらに表面には、表生地５６が重ねて設けられ、表生地５６は例えば収容部１２と同じ素材で作られている。厚紙５０の、収容部１２側となる裏面５０ｂには、裏生地５８が重ねられて設けられ、裏生地５８は例えば収容部１２と同じ素材で作られている。なお、裏生地５８は厚紙５０よりも一回り大きくカットされ、裏生地５８の周縁部は厚紙５０、化繊生地５２、スポンジ５４の端部を包むように折り込まれ、スポンジ５４と表生地５６の間に挟持され固定されている。そして、厚紙５０の周縁部には糸６０がステッチされ、糸６０により、表生地５６、スポンジ５４、化繊生地５２、厚紙５０、裏生地５８が貫通して縫いとめられている。
【００１８】
また、この実施形態のランドセル１０の背面１２ｂの上部付近には、紐状の持ち手６２が設けられている。持ち手６２はほぼ水平に設けられ、僅かに上方に彎曲されている。持ち手６２の両端部は、金具６４で収容部１２背面１２ｂの、肩ベルト１４の取付位置の両側に固定されている。
【００１９】
図８は、持ち手６２を縦に破断した斜視図であり、持ち手６２の内側には芯材であるロープ６６が設けられている。ロープ６６の外側には補強材である化繊生地６８が設けられ、化繊生地６８の外側には表生地７０が設けられている。化繊生地６８と表生地７０は予め互いに重ねてロープ６６に巻き付けられ、化繊生地６８と表生地７０の、ロープ６６の長手方向に位置する端部どうしは、互いに合掌状態に合わせられ、端部はさらに内側に折り込んで糸７２で縫いとめられている。
【００２０】
この実施形態のランドセル１０によれば、簡単な構造で耐久性があり、繰り返し荷重がかかったり、繰り返し折り曲げられたりする部分の損傷を防ぎ、安全に使用することができる。肩ベルト１４等柔軟なスポンジ２０を芯材に用いている部分にも、柔軟なシート状の化繊生地２２で補強することにより、スポンジ２０の柔軟性を残して引っ張り強さを向上させることができる。これにより、肩ベルト１４が身体に密着し背負い易いものとなる。各化繊生地２２，４２，５２の引っ張り強さが高いため、各表生地２４，４０，５６と裏生地２６の材料は、引っ張り強さを考慮することなく風合いや外観等が良好なものを採用することができ、デザインを多様化することができる。
【００２１】
なお、この考案は上記実施形態に限定されるものではなく、ランドセルの構造は自由に変更可能であり、上記以外の他の部分に補強材を入れてもよい。また、肩ベルト、保持片、持ち手の全てに補強材を入れずに、いずれかのみに入れてもよい。補強材は、化繊生地以外でもよく、素材も適宜選択可能である。
【図面の簡単な説明】
【００２２】
【図１】この考案の一実施形態のランドセルの斜視図である。
【図２】この実施形態のランドセルの肩ベルトの背面図である。
【図３】図２のＡ−Ａ線横断面図である。
【図４】この実施形態のランドセルの保持片の背面図である。
【図５】図４のＢ−Ｂ線横断面図である。
【図６】この実施形態のランドセルの蓋部材の保持片の変形例を示す背面図である。
【図７】図６のＣ−Ｃ線横断面図である。
【図８】この実施形態のランドセルの持ち手の部分破断斜視図である。
【符号の説明】
【００２３】
１０  ランドセル
１２  収容部
１４  肩ベルト
１５  バックル
１７  下部ベルト
１８  サイズ調整用孔
２０  スポンジ
２２  化繊生地
２４  表生地
２６  裏生地
２８  糸
３０  蓋部材
３２  保持片
３４  マグネット係止具
６２  持ち手
【図１】
0003140219.tif 000003
【図２】
0003140219.tif 000004
【図３】
0003140219.tif 000005
【図４】
0003140219.tif 000006
【図５】
0003140219.tif 000007
【図６】
0003140219.tif 000008
【図７】
0003140219.tif 000009
【図８】
0003140219.tif 000010